(57)【要約】【課題】  被制御装置を遠隔から確実に制御可能な遠隔操作器を提供すること。【解決手段】  遠隔操作器２において、操作部２１は、ユーザにより操作される。アンテナコイル２２１は、被制御装置から送られてくるキャリアにより電力を誘起する。コントローラ２２２は、固有ＩＤを内部に格納する。スイッチ２３は、アンテナコイル２２１とコントローラ２２２の間に接続されており、操作部２１の操作状況に応じて、アンテナコイル２２１に誘起された電力をコントローラ２２２に与える。コントローラ２２２は、アンテナコイル２２１で誘起された電力により活性化されると、内部の固有ＩＤを読み出して、読み出した固有ＩＤが重畳された応答を生成する。また、アンテナコイル２２１は、コントローラ２２２により生成された応答を被制御装置に送信する。【選択図】  図２
2005333385.tif 000002
【特許請求の範囲】
【請求項１】
被制御装置を遠隔から制御するための遠隔操作器であって、
ユーザにより操作される操作部と、
前記被制御装置から送られてくるキャリアにより電力を誘起するアンテナコイルと、
固有ＩＤを内部に格納するコントローラと、
前記アンテナコイルと前記コントローラの間に接続されており、前記操作部の操作状況に応じて、前記アンテナコイルに誘起された電力を前記コントローラに与えるスイッチとを備え、
前記コントローラは、前記アンテナコイルで誘起された電力により活性化されると、内部の固有ＩＤを読み出して、読み出した固有ＩＤが重畳された応答を生成し、
前記アンテナコイルは、前記コントローラにより生成された応答を外部に送出する、遠隔操作器。
【請求項２】
前記アンテナコイル及び前記コントローラはＲＦＩＤタグに組み込まれている、請求項１に記載の遠隔操作器。
【請求項３】
前記操作部には、前記被制御装置の機能が予め割り当てられており、
前記遠隔操作器は、前記操作部毎に割り当てられた前記ＲＦＩＤ及び前記スイッチの組み合わせから構成されており、
前記固有ＩＤは、前記被制御装置の機能を特定する、請求項２に記載の遠隔操作器。
【請求項４】
前記スイッチは、前記アンテナコイル及び前記コントローラの間に直列に接続されており、前記操作部が操作されると、前記アンテナコイルと前記コントローラとを電気的に接続する、請求項１に記載の遠隔操作器。
【請求項５】
前記スイッチは、前記アンテナコイル及び前記コントローラの間に並列に接続されており、前記操作部が操作されない間、前記アンテナ及び前記コントローラの間をショートしており、前記操作部が操作されると、前記アンテナ及び前記コントローラの間を開放する、請求項１に記載の遠隔操作器。
【請求項６】
前記操作部には、前記被制御装置の機能が予め割り当てられており、
前記遠隔操作器は、前記操作部毎に割り当てられた前記コントローラ及び前記スイッチと、１個のアンテナコイルとから構成される、請求項２に記載の遠隔操作器。
【請求項７】
前記キャリアは、前記被制御装置により、予め定められた時間間隔で送出される、請求項１に記載の遠隔操作器。
【請求項８】
被制御装置を制御するために用いられるスイッチシステムであって、
ユーザにより操作される操作部と、
前記被制御装置から送られてくるキャリアにより電力を誘起するアンテナコイルと、
固有ＩＤを内部に格納するコントローラと、
前記アンテナコイルと前記コントローラの間に接続されており、前記操作部が操作されることにより、前記アンテナコイルに誘起された電力を前記コントローラに与えるスイッチとを備え、
前記コントローラは、前記アンテナコイルにより誘起された電力により活性化されると、自身が格納する固有ＩＤを読み出して、読み出した固有ＩＤが重畳された応答を生成し、
前記アンテナコイルは、前記ＲＦＩＤタグにより生成された応答を外部に送出する、スイッチシステム。
【発明の詳細な説明】
【技術分野】
【０００１】
本発明は、遠隔操作器に関し、より特定的には、被制御装置を遠隔から制御するための遠隔操作器に関する。
【背景技術】
【０００２】
従来から、様々な装置が遠隔操作器により遠隔から制御されている。周知の遠隔操作器は、一次電池を電源として備えており、数メートルの範囲内で、被制御装置を制御する。しかしながら、一次電池には寿命があるので、近年、一次電池が不要な遠隔操作器（以下、従来の遠隔操作器と称する）が研究及び開発されている。
【０００３】
従来の遠隔操作器の一つは、１個のインピーダンス素子、互いにインピーダンスが相違するｎ個の共振用インピーダンス素子と、ｎ個のスイッチとを備えている。ユーザがいずれかのスイッチを操作することにより、今回操作されたスイッチに直列接続された共振用インピーダンス素子と、インピーダンス素子とが並列接続される。その結果、両インピーダンス素子により、操作されたスイッチ毎で互いに異なる周波数で共振する共振回路が構成される。
【０００４】
以上のような従来の遠隔操作器には、被制御装置側から、所定周波数帯域幅を有するキャリアが送られてくる。ここで、所定周波数帯域幅は、従来の遠隔操作器内で構成可能な全ての共振回路の共振周波数をカバーする。従来の遠隔操作器では、このようなキャリアをアンテナにおいて受信する。このような状態で、あるスイッチが操作されると、インピーダンス素子及びある特定の共振用インピーダンス素子により、特定周波数で共振する共振回路が構成される。従って、キャリアのうち、特定周波数のものが共振現象により強調された状態で応答が発生し、発生した応答はアンテナから空間へ放射される。被制御装置では、従来の遠隔操作器からの応答を受信した後、共振現象により強調された特定周波数を検出する。このように特定周波数が検出されると、被制御装置側では、従来の遠隔操作器においてどのスイッチが今回操作されたかを特定することが可能となる。その後、被制御装置は、今回操作されたスイッチに予め割り当てられている機能を実行する。これによって、例えば、テレビのチャネルを所定のものに変更することが可能となる（例えば特許文献１を参照）。
【特許文献１】２００１−２６８６６６号公報
【発明の開示】
【発明が解決しようとする課題】
【０００５】
以上のように、従来の遠隔操作器によれば、被制御装置は、共振現象により強調されたキャリア周波数を参照して、操作されたスイッチを特定する。しかしながら、共振用インピーダンス素子のインピーダンスは、例えば周囲温度に応じて変化する場合が多いので、周囲温度の変化が激しい環境変化下で従来の遠隔操作器を使用すると、被制御装置は、操作されたスイッチを誤認するおそれがあるという問題点がある。さらに言えば、スイッチの個数が多くなればなるほど、強調されたキャリア周波数を正確に判別することが被制御装置には要求されることになるので、スイッチの個数が多い遠隔操作器には、上述のような問題点が顕著に表れる。
【０００６】
また、従来の遠隔操作器には、今回操作されたスイッチを被制御装置側で特定可能にするために、互いに異なる共振周波数を有する共振用インピーダンス素子をスイッチの個数分実装する必要があるので、内部配線が複雑化するという問題点がある。
【０００７】
それ故に、本発明の目的は、被制御装置を遠隔から確実に制御可能な遠隔操作器を提供することである。
また、本発明の他の目的は、内部配線を簡素化可能なスイッチシステムを提供することである。
【課題を解決するための手段】
【０００８】
上記目的を達成するために、本発明の第１の局面は、被制御装置を遠隔から制御するための遠隔操作器であって、ユーザにより操作される操作部と、被制御装置から送られてくるキャリアにより電力を誘起するアンテナコイルと、固有ＩＤを内部に格納するコントローラと、アンテナコイルとコントローラの間に接続されており、操作部の操作状況に応じて、アンテナコイルに誘起された電力をコントローラに与えるスイッチとを備える。ここで、コントローラは、アンテナコイルで誘起された電力により活性化されると、内部の固有ＩＤを読み出して、読み出した固有ＩＤが重畳された応答を生成し、また、アンテナコイルは、コントローラにより生成された応答を外部に送出する。
アンテナコイル及びコントローラは典型的には、ＲＦＩＤタグに組み込まれている。
【０００９】
操作部には被制御装置の機能が予め割り当てられている場合において、遠隔操作器は、操作部毎に割り当てられたＲＦＩＤ及びスイッチの組み合わせから構成される。また、固有ＩＤは、被制御装置の機能を特定する。
スイッチは例示的には、アンテナコイル及びコントローラの間に直列に接続されており、操作部が操作されると、アンテナコイルとコントローラとを電気的に接続する。
【００１０】
スイッチは例示的には、アンテナコイル及びコントローラの間に並列に接続されており、操作部が操作されない間、アンテナ及びコントローラの間をショートしており、操作部が操作されると、アンテナ及びコントローラの間を開放する。
【００１１】
操作部には、被制御装置の機能が予め割り当てられている場合において、遠隔操作器は例示的には、操作部毎に割り当てられたコントローラ及びスイッチと、１個のアンテナコイルとから構成される。
キャリアは好ましくは、被制御装置により、予め定められた時間間隔で送出される。
【００１２】
また、本発明の第２の局面は、被制御装置を制御するために用いられるスイッチシステムであって、ユーザにより操作される操作部と、被制御装置から送られてくるキャリアにより電力を誘起するアンテナコイルと、固有ＩＤを内部に格納するコントローラと、アンテナコイルとコントローラの間に接続されており、操作部が操作されることにより、アンテナコイルに誘起された電力をコントローラに与えるスイッチとを備える。コントローラは、アンテナコイルにより誘起された電力により活性化されると、自身が格納する固有ＩＤを読み出して、読み出した固有ＩＤが重畳された応答を生成し、アンテナコイルは、ＲＦＩＤタグにより生成された応答を外部に送出する。
【発明の効果】
【００１３】
以上のように第１の局面によれば、今回操作された操作部に割り当てられたコントローラのみが活性化して、活性化したものが、固有ＩＤが重畳された応答を生成し、アンテナコイルから送出する。被制御装置は、このような応答に重畳される固有ＩＤに従って、コマンドを解釈する。これら固有ＩＤは、周囲温度により変化しないので、被制御装置は、周囲温度にかかわらず、確実にコマンドを解釈することができる。
【００１４】
また、第２の局面によれば、被制御装置は、操作器から無線通信により送られてくる固有ＩＤに基づいて、コマンドを解釈することが可能になるので、両者の間の配線が不要になる。
【発明を実施するための最良の形態】
【００１５】
（第１の実施形態）
図１は、本発明の第１の実施形態に係る遠隔操作器２により制御される被制御装置１の構成を示すブロック図である。図１において、被制御装置１は、遠隔操作器２との無線通信を行う通信装置１１を備えている。通信装置１１は、一般的なＲＦＩＤタグのリーダと同様の構成を有しており、制御部１１１と、符号化部１１２と、電源１１３と、スイッチ１１４と、送信用アンテナコイル１１５と、受信用アンテナコイル１１６と、復号部１１７とを含む。以上の電源１１３からから送信用アンテナコイル１１５を介して、遠隔操作器２に搬送波（電力供給）が送信される。なお、必要に応じて、搬送波は、符号化部１１２から出力されるデータに従って、スイッチ１１４をオン又はオフすることにより変調されても構わない。
【００１６】
また、受信用アンテナコイル１１６は、上述のような搬送波の送出後、遠隔操作器２から返ってくる応答を受信する。詳細は後述するが、この応答には、いずれかのタグチップ２２２が保持する固有ＩＤが重畳されている。さらに、この固有ＩＤは、被制御装置１に対するコマンドを表す。例えば、被制御装置１がテレビジョン受像機である場合には、固有ＩＤは、被制御装置１の音量アップというコマンドを表す。
復号部１１７は、受信用アンテナコイル１１６により受信された応答を復号して、受信応答から固有ＩＤを取り出し、制御部１１１に渡す。
【００１７】
制御部１１１は、復号部１１７から受け取った固有ＩＤから、遠隔操作器２において今回どの操作部２１が操作されたかを解釈し、今回操作された操作部２１に予め割り当てられている機能を特定するコマンドを、被制御装置１の中央演算器（図示せず）に渡す。中央演算器は、受け取ったコマンドに従って、被制御装置１の各部を制御する。
【００１８】
図２は、図１に示す遠隔操作器２の詳細な構成を示すブロック図である。図２において、遠隔操作器２は、少なくとも１個の操作部２１と、少なくとも１個のＲＦＩＤタグ２２と、少なくとも１個のスイッチ２３とを備えている。
【００１９】
操作部２１は、被制御装置１における少なくとも１つの機能が割り当てられており、本遠隔操作器２のユーザにより直接操作される。図２には例示的に、２つの操作部２１ａ及び２１ｂが示されているが、被制御装置１がテレビジョン受像機である場合には、操作部２１ａには例示的に、音量アップという機能が割り当てられ、操作部２１ｂには例示的に音量ダウンという機能が割り当てられる。
【００２０】
ＲＦＩＤタグ２２は、１つの操作部２１に割り当てられており、アンテナコイル２２１及びタグチップ２２２を含んでいる。なお、図２には２個の操作部２１ａ及び２１ｂが例示されているので、図２には、２つのＲＦＩＤタグ２２ａ及び２２ｂが例示されている。ここで、本実施形態では、ＲＦＩＤタグ２２ａが操作部２１ａに割り当てられ、ＲＦＩＤタグ２２ｂが操作部２１ｂに割り当てられる。
【００２１】
各ＲＦＩＤタグ２２において、アンテナコイル２２１は、まず、送信用アンテナコイル１１５がキャリアを送出すると、送信用アンテナコイル１１５との電磁結合により、自身の両端子に誘起起電力を発生する。また、後述のタグチップ２２で生成された所定周波数を有するキャリア（以下、応答と称する）を送出する。
【００２２】
各ＲＦＩＤタグ２２において、タグチップ２２は、他のタグチップ２２のものと互いに重複しない一意な固有ＩＤを格納する。また、タグチップ２２は、後述するスイッチ２３が閉じることにより、前段のアンテナコイル２２１と共に電流ループを構成する。この場合、前段のアンテナコイル２２１で発生された誘起起電力により活性化される。その後、タグチップ２２は、内部に保持する固有ＩＤが重畳された応答を生成する。
【００２３】
前述のように、図２には、２つのＲＦＩＤタグ２２ａ及び２２ｂが例示されている。ＲＦＩＤタグ２２ａは、アンテナコイル２２１ａ及びタグチップ２２２ａを含む。ＲＦＩＤタグ２２ａは操作部２１ａに割り当てられているので、タグチップ２２２ａの固有ＩＤは、被制御装置１の音量アップというコマンドを表すことになる。また、ＲＦＩＤタグ２２ｂは、アンテナコイル２２１ｂ及びタグチップ２２２ｂを含む。ＲＦＩＤタグ２２ｂは操作部２１ｂに割り当てられているので、タグチップ２２２ｂの固有ＩＤは、被制御装置１の音量ダウンというコマンドを表すことになる。
【００２４】
スイッチ２３もまた、１つの操作部２２に割り当てられており、アンテナコイル２２１の一端子及びその後段のタグチップ２２２の一端子の間に設置される。つまり、アンテナコイル２２１及びスイッチ２３は直列に接続される。このようなスイッチ２３は、少なくともユーザが操作部２２を操作されている間だけは閉じ、これによって、１対のアンテナコイル２２１及びタグチップ２２には、上述のような電流ループが構成される。
【００２５】
ここで、図３は、上述のような遠隔操作器２の動作を示すフローチャートである。以下、図３を参照して、遠隔操作器２の動作について説明する。
まず、図１に示す通信装置１１がキャリアを送出する。ここで、以下の説明では、通信装置１１は、被制御装置１の電源がオンの間、キャリアを常時送出するものと仮定する。
このような状態で、遠隔操作器２が通信装置１１との通信可能なエリアに存在している間、遠隔操作器２と各アンテナコイル２２１と、通信装置１１の送信用アンテナコイル１１５とは電磁的に結合することになる。つまり、各アンテナコイル２２１は、キャリアを常時受信している（ステップＳ１）。
【００２６】
以上のような状態で、遠隔操作器２のユーザは、自分の判断に従って、いずれかの操作部２１を操作する。これによって、今回操作された操作部２１に割り当てられたスイッチ２２が閉じる。このようにスイッチ２３が閉じると（ステップＳ２）、同じ操作部２１に割り当てられているＲＦＩＤタグ２２において、アンテナコイル２２１の両端子に発生した誘起起電力がタグチップ２２２に与えられ、その結果、タグチップ２２２は活性化（起動）する（ステップＳ３）。
逆に、スイッチ２３が閉じていない場合（ステップＳ２）、それに割り当てられているＲＦＩＤタグ２２は起動しない。
【００２７】
ステップＳ３の後、起動したＲＦＩＤタグ２２において、タグチップ２２２は、自身が格納する固有ＩＤをキャリアに重畳することにより応答を生成し出力する。その結果、アンテナコイル２２１からは、応答が送出される（ステップＳ４）。
【００２８】
このような応答が送出されることにより、アンテナコイル２２１は、通信装置１１の受信用アンテナコイル１１６と電磁的に結合されるので、受信用アンテナコイル１１６は、応答を受信することになる。その後、前述したように、復号部１１７は、受信用アンテナコイル１１６により受信された応答を復号して、受信応答から固有ＩＤを取り出し、制御部１１１に渡す。また、制御部１１１は、復号部１１７から受け取った固有ＩＤから、遠隔操作器２において今回どの操作部２１が操作されたかを解釈し、今回操作された操作部２１に予め割り当てられている機能を特定するコマンドを、被制御装置１の中央演算器（図示せず）に渡す。中央演算器は、受け取ったコマンドに従って、被制御装置１の各部を制御する。
【００２９】
以上のような処理により、例えば、ユーザが操作部２１ａを操作したと仮定すると、ＲＦＩＤタグ２２ａでのみ電流ループが構成されるので、ＲＦＩＤ２２ａのみから応答が送信される。従って、制御部１１１は、ＲＦＩＤ２２ａの固有ＩＤを受け取ることになり、中央演算器は、被制御装置１の一例であるテレビジョン受像機の音量を上げる。また、ユーザが操作部２２ｂを操作した場合、中央演算器は、被制御装置１の一例であるテレビジョン受像機の音量を下げる。
【００３０】
以上説明したように、本遠隔操作器２によれば、今回操作された操作部２１に割り当てられたＲＦＩＤタグ２２のみが活性化して、活性化したＲＦＩＤタグ２２から、固有ＩＤが重畳された応答が送出される。被制御装置１側では、このような応答に重畳される固有ＩＤに従って、コマンドを解釈する。これら固有ＩＤは、周囲温度により変化しないので、被制御装置１は、周囲温度にかかわらず、確実にコマンドを解釈することができる。また、ＲＦＩＤタグ２２の特性上、互いに相違する複数の操作部２１が短時間の間に連続的に操作された場合でも、被制御装置１は確実に各コマンドを解釈することができる。
【００３１】
なお、以上の説明では、通信装置１１は、被制御装置１の電源がオンの間、常時キャリアを送出するとして説明した。しかし、ユーザが各操作部２１を操作する速度と、通信装置１１の処理速度とを比較すると、通信装置１１の処理速度の方が圧倒的に高速であるので、通信装置１１は、予め定められた時間間隔毎にキャリアを送出しても構わない。
【００３２】
また、ＲＦＩＤタグ２２内のスイッチ２３に関しては、例えば静電容量スイッチのように、他のスイッチでも実現可能である。
（第１の変形例）
図４は、図１に示す遠隔操作器２について第１の変形例の構成を示すブロック図である。図４において、遠隔操作器２の構成は、上述の実施形態のそれと比較すると、スイッチ２３の代わりにスイッチ３１（図には２個のスイッチ３１ａ及び３１ｂが示される）を備える点で相違する。それ以外に構成について、両遠隔操作器２に相違点はない。それ故、図４において、図２に示す構成に相当するものには同一の参照符号を付け、それぞれの説明を省略する。
【００３３】
スイッチ３１は、スイッチ２３と比較すると、１つの操作部２２に割り当てられる点で同様である。しかしながら、スイッチ３１は、第一に、タグチップ２２２からみて、アンテナコイル２２１と並列に接続される点で、スイッチ２３と相違する。さらに、スイッチ３１は、少なくとも操作部２２がユーザにより操作されている間だけは開いており、それ以外の間は閉じている。つまり、操作部２２が操作されていない場合、スイッチ３１は、アンテナコイル２２１及びタグチップ２２２で構成可能な電流ループを短絡する。従って、たとえアンテナコイル２２１に誘起起電力が発生したとしても、スイッチ３１が閉じている場合には、電流は、相対的に高インピーダンスのタグチップ２２２には流れず、実質的に抵抗が０のスイッチ３１にのみ流れる。
【００３４】
このようなスイッチ３１によっても、第１の実施形態で説明したものと同様の効果を得ることが可能となる。
【００３５】
（第２の変形例）
図５は、図１に示す遠隔操作器２について第２の変形例の構成を示すブロック図である。図５において、遠隔操作器２は、少なくとも２個の操作部４１（図示は操作部４１ａ及び４１ｂ）と、単一のアンテナコイル４２と、少なくとも２個のタグチップ４３（図示は４３ａ及び４３ｂ）と、少なくとも２個のスイッチ４４（図示はスイッチ４４ａ及び４４ｂ）と、少なくとも２個の分岐部４５（図示は分岐部４５ａ及び４５ｂ）とを備えている。
【００３６】
各操作部４１は前述の操作部２１と同様である。それ故、各操作部４１については説明を省略する。
アンテナコイル４２は、まず、送信用アンテナコイル１１５（図１を参照）がキャリアを送出すると、送信用アンテナコイル１１５との電磁結合により、自身の両端子に誘起起電力を発生する。また、後述のタグチップ４４で生成された所定周波数帯域幅を有する応答を送出する。
【００３７】
各タグチップ４３は、上述のアンテナコイル４２に接続される。また、各タグチップ４３は、互いに異なる１個の操作部４１に割り当てられており、他のタグチップ４３のものと互いに重複しない一意な固有ＩＤを格納する。また、タグチップ４３は、後述するスイッチ４４が閉じることにより、前段のアンテナコイル４２と共に電流ループを構成する。この場合、前段のアンテナコイル４２で発生された誘起起電力により活性化される。その後、タグチップ４４は、内部に保持する固有ＩＤが重畳された応答を生成する。
【００３８】
スイッチ４４もまた、１つの操作部４１に割り当てられており、アンテナコイル４２の一端子及びその後段のタグチップ４３の一端子の間に設置される。つまり、タグチップ４３からみて、アンテナコイル４２及びスイッチ４４は直列に接続される。このようなスイッチ４４は、少なくともユーザが操作部４１を操作されている間だけは閉じ、これによって、アンテナコイル４２及びタグチップ４３には、上述のような電流ループが構成される。
【００３９】
分岐部４５は、操作された操作部４１に割り当てられたタグチップ４３のみが活性化されるように配置される。一方の分岐部４５（図示した例では分岐部４５ａ）は、アンテナコイル４２の一方の端子とスイッチ４４（図示した例ではスイッチ４４ａ）との間に設けられ、別のスイッチ４４（図示した例ではスイッチ４４ｂ）と電気的に接続される。他方の分岐部４５（図示した例では分岐部４５ｂ）は、タグチップ４３（図示した例ではタグチップ４３ａ）とアンテナコイル４２の他方の端子との間とに設けられ、別のタグチップ４３（図示した例ではタグチップ４３ｂ）と電気的に接続される。
【００４０】
以上のような第２の変形例に係る遠隔操作器２によっても、第１の実施形態で説明したものと同様の効果を得ることが可能となる。また、第２の変形例によれば、１個のアンテナコイル４２により遠隔操作器２が実現できるので、その回路規模を小さくすることができる。
【００４１】
なお、以上の変形例では、アンテナコイル４２及びスイッチ４４は直列接続されるとして説明したが、これに限らず、第１の変形例のようにそれらは並列に接続されても構わない。
【００４２】
（第２の実施形態）
図６は、本発明の第２の実施形態に係るスイッチシステムの全体構成を示すブロック図である。図６において、スイッチシステムは、操作器５１と、被制御装置５２とを備えている。
【００４３】
操作器５１は、被制御装置５２のオン及びオフの状態を切り替える。このような切り替えのために、操作器５１は、図２に示す遠隔操作器２と同様の構成を備えており、遠隔操作器２と同様に動作する。ただし、本実施形態においては、被制御装置５２のオン及びオフを切り替えるだけであるから、操作部２１、ＲＦＩＤタグ２２及びスイッチ２３は一組分、操作器５１に収容されていれば良い。このような操作器５１は、被制御装置５２と通信が可能な位置に固定される。
【００４４】
また、被制御装置５２は、図１に示す被制御装置１と同様の構成を備えており、被制御装置１と同様に動作する。
【００４５】
以上のようなスイッチシステムにより、操作器５１及び被制御装置５２との間を配線する必要が無くなる。具体的には、操作器５１としては、照明機器用のスイッチとして応用可能である。この場合、被制御装置５２は、照明機器本体又はその近傍に組み込まれる。照明機器用に向けられた場合、配線は、壁の中又は天井裏に敷設されるので、一般的には建物の建設時にしか行うことができないが、上述のスイッチシステムを応用することにより、いつでも容易に照明機器及びそのスイッチを設置することができる。
【００４６】
また、例えば、被制御装置５２の通信可能な範囲に、他の装置向けの遠隔操作器が存在すると仮定する。他の装置向けの遠隔操作器が操作された場合でも、被制御装置５２は、異なる固有ＩＤを受信することになるので、操作器５１が操作されたことと、他の装置向けの遠隔操作器が操作されたこととを正確に判別できる。つまり、被制御装置５２内の通信装置１１は、操作器５１内に格納されている固有ＩＤを予め記憶しておき、受信した固有ＩＤとの一致又は不一致を判定すれば良い。
【００４７】
なお、以上の実施形態では、操作部２１が操作されると、オン及びオフが切り替わるとして説明したが、これに限らず、操作部２１が操作されるたびに、被制御装置５２は、３以上の状態が順番に切り替えるようにしても構わない。
【００４８】
また、被制御装置５２は、第１の実施形態で説明したように、キャリアを常時送信しても構わないし、ある時間間隔でキャリアを送信しても構わない。例えば、日中（外出中）又は夜間（就寝中）のように、被制御装置５２としての照明機器の操作を行わないとみなせる場合には、タイマー機能を使うことにより、キャリアの送信を被制御装置５２は停止しても構わない。
【００４９】
また、以上の実施形態では、操作器５１は、１個の被制御装置５２を操作することが可能なように説明されていたが、これに限らず、操作器５１により、複数の被制御装置５２を操作することも可能である。このような応用は、操作器５１に格納される固有ＩＤを、互いに異なる複数の被制御装置５２に登録することで実現される。
【００５０】
また、以上の実施形態では、照明機器及びそのスイッチへの応用例について説明したが、これに限らず、操作器５１は、車両のパワーウインド用、ＡＶ機器用又は空調機器用と広範囲で応用が可能である。
【産業上の利用可能性】
【００５１】
本発明に係る遠隔操作器は、周囲温度の変動に関わらず、被制御装置を正しく制御できることが要求される車載用途などに好適である。
【図面の簡単な説明】
【００５２】
【図１】本発明の第１の実施形態に係る遠隔操作器２により制御される被制御装置１の構成を示すブロック図
【図２】図１に示す遠隔操作器２の構成を示すブロック図
【図３】図１に示す遠隔操作器２の動作を示すフローチャート
【図４】図１に示す遠隔操作器２について第１の変形例の構成を示すブロック図
【図５】図１に示す遠隔操作器２について第２の変形例の構成を示すブロック図
【図６】本発明の第２の実施形態に係るスイッチシステムの全体構成を示すブロック図
【符号の説明】
【００５３】
１  被制御装置
２  遠隔操作器
２１，４１  操作部
２２  ＲＦＩＤタグ
２２１，４２  アンテナコイル
２２２，４３  タグチップ
２３，４４  スイッチ
５１  操作器
５２  被制御装置
【図１】
2005333385.tif 000003
【図２】
2005333385.tif 000004
【図３】
2005333385.tif 000005
【図４】
2005333385.tif 000006
【図５】
2005333385.tif 000007
【図６】
2005333385.tif 000008